(57)【要約】【課題】スピーカ１０では、その取付け位置に因る重力の影響等により、ボイスコイルボビン２４が所期の位置からずれて、ボビン２４がポール１９に接触することがある。一方、ボビン２４とトッププレート２１との間隙を広げ過ぎると、小振幅時の振動能率が低下する。これらを克服する。【解決手段】ポール１９を周方向へ２等分割した半円柱部分２８ａ，２８ｂにする。長孔３０ａ，３０ｂはその長手方向がトッププレート２１の内周円の直径方向に一致するようにフランジ１８に穿設される。ボルト３１ａ，３１ｂは、半円柱部分２８ａ，２８ｂの通孔３２ａ，３２ｂ及び長孔３０ａ，３０ｂに挿通されてから、フランジ１８の後面側でナット３３ａ，３３ｂに螺着されて、半円柱部分２８ａ，２８ｂをフランジ１８に固定する。長孔３０ａ，３０ｂにおけるボルト３１ａ，３１ｂの位置の調整により半円柱部分２８ａ，２８ｂとボビン２４との間の距離が調整される。【選択図】図４
2010041150.tif 000002
【特許請求の範囲】
【請求項１】
磁石の一方の端面に接触して配置されるトッププレート、
前記磁石の他方の端面に接触して配置されるフランジと該フランジの中心部から突出して突出端部において前記トッププレートの内周側に位置するポールとを有するヨーク、及び
前記トッププレートの内周と前記ポールの周部との間の間隙に配置されて振動板と一体に振動するボイスコイルボビン、
を備えるスピーカであって、
前記ポールはその周方向へ複数のポール部分に分割され、
各ポール部分は、前記ボイスコイルボビンとの距離を調整自在に前記フランジに支持されていることを特徴とするスピーカ。
【請求項２】
前記フランジの中心部は周辺部に対して段部を介して落ち込んだ支持面となっており、
前記ポール部分は、前記支持面内での支持位置を調整自在に前記フランジに支持され、
前記段部の位置は、前記ポール部分が該段部に当接する支持位置で前記フランジに支持された場合に、該ポール部分が前記ボイスコイルボビンから所定距離以上離れることを保証するものに規定されていることを特徴とする請求項１記載のスピーカ。
【請求項３】
前記ポール部分の位置調整方向へ長く前記フランジに形成された長孔、
前記長孔内を貫通して前記ポール部分と一体に前記長孔の長手方向へ移動するボルト、及び
前記ボルトに螺合することにより前記ボルトを前記長孔内の位置で固定するナット、
を備え、
前記長孔のボイスコイル側の端の位置は、前記ボルトが該端に当接する位置で固定された時に該ボルトに一体固定の前記ポール部分が前記ボイスコイルボビンから所定距離以上離れることを保証するものに規定されていることを特徴とする請求項１記載のスピーカ。
【請求項４】
スピーカの各使用状況に対応付けられる前記ポール部分の支持位置を示すマークが前記フランジに付けられていることを特徴とする請求項１〜３のいずれかに記載のスピーカ。
【発明の詳細な説明】
【技術分野】
【０００１】
本発明は、ボイスコイルがトッププレートとヨークのポールとの間の間隙に配置されているスピーカに関する。
【背景技術】
【０００２】
特許文献１は、偏心スピーカにおいて、ボイスコイルボビンが振動板の慣性モーメントの不均一に因り傾いて振動し、ボイスコイルがトッププレートに接触してしまうことに鑑み（特許文献１の段落０００３）、ポールとトッププレートとの間に形成している環状間隙について、慣性モーメントの大側の振動板部分の方の環状間隙の寸法を慣性モーメントの小側の振動板部分の方の環状間隙の寸法より小にすることを開示する（特許文献１の図１及び図２）。
【特許文献１】特開２００２−３７４５９５号公報
【発明の開示】
【発明が解決しようとする課題】
【０００３】
スピーカは、その取付け位置により振動板等の重力の影響によりボイスコイルボビンの中心線が正規の位置からずれて、ボイスコイルボビンが振動時にヨークのポールと接触して、異音が生じることがある。また、大振幅時においても、振動系のローリングが影響して、ボイスコイルボビンがポールと接触して、異音が生じることがある。これらの対策としては、ボイスコイルボビンとポールとの間隙を広げることであるが、間隙を広げると、該間隙における磁束密度が低下して、小音量時の振動能率が低下してしまう。
【０００４】
特許文献１における環状間隙の調整は、偏心スピーカにおける振動板の慣性モーメントの大きさ及び偏在分布か確定している場合には、各周方向部位の適切な間隙寸法が予め分かるので、それに基づき各周方向部位の間隙寸法を設定して、適切に対処できるものであるが、スピーカが各ユーザにおいて異なる取付けを行われたり、使用されたりする場合には、環状間隙の適切な寸法を製品製造段階で予め決めることができず、有効な対策にはならない。
【０００５】
本発明の目的は、ボイスコイルの配置間隙の適切な寸法がユーザ段階で判明する場合に、有効に対処することができるスピーカを提供することである。
【課題を解決するための手段】
【０００６】
本発明によれば、ヨークのポールが周方向へ複数に分割され、各ポール部分が、ボイスコイルボビンとの距離を調整自在にヨークのフランジに支持される。
【０００７】
本発明のスピーカは、磁石の一方の端面に接触して配置されるトッププレート、前記磁石の他方の端面に接触して配置されるフランジと該フランジの中心部から突出して突出端部において前記トッププレートの内周側に位置するポールとを有するヨーク、及び前記トッププレートの内周と前記ポールの周部との間の間隙に配置されて振動板と一体に振動するボイスコイルボビン、を備える。前記ポールはその周方向へ複数のポール部分に分割され、各ポール部分は、前記ボイスコイルボビンとの距離を調整自在に前記フランジに支持されている。
【発明の効果】
【０００８】
本発明によれば、ポールが周方向へ複数に分割されて、各ポール部分が、ボイスコイルボビンとの距離を調整自在になっている結果、ポールとボイスコイルボビンとの距離を使用状況に応じて適切な寸法に調整することができる。
【発明を実施するための最良の形態】
【０００９】
図１はスピーカ１０の構造を断面で示している。図１はスピーカ１０の内、スピーカユニットのみを示し、スピーカボックスの図示は省略している。フレーム１１は側方部分１２と後方部分１３とを備え、側方部分１２は、後端部において後方部分１３の外側端部に結合している。コーン型の振動板１５は、フレーム１１内にフレーム１１と同心的に配置され、前端の周縁部においてエッジ１６を介して側方部分１２の前端部に結合している。
【００１０】
ヨーク１７は、円形のフランジ１８とフランジ１８の中心から前方へ直立する円柱状のポール１９とを有している。環状磁石２０は、ポール１９に対してほぼ同心的に配置され、その前端面及び後端面においてそれぞれトッププレート２１及びフランジ１８に固定されている。トッププレート２１は、円形の内外周を有し、前面の外周縁部において後方部分１３の後面に固定されている。
【００１１】
円筒状のボイスコイルボビン２４は、ボイスコイル２３を外周部に巻き付けられ、振動板１５の後端部の中心部に結合し、前後方向へ振動板１５と一体振動する。凸部２５は後方部分１３の前面に突設され、ダンパー２７はボイスコイルボビン２４と凸部２５とを結合している。
【００１２】
図２及び図３はボイスコイル２３が配置される範囲の概略斜視図及び該範囲をヨーク１７の側方から見た図である。なお、図３ではボイスコイルボビン２４を除去している。ボイスコイル２３は、ポール１９とトッププレート２１との間の環状間隙に配置される。図３においてＧは該環状間隙の寸法を示している。
【００１３】
図４はヨーク１７の分解図である。台面２９は、フランジ１８の中心部に形成された平面であり、フランジ１８の周辺部から段部３５の寸法だけ低くなっている。ポール１９は、周方向へ２等分割された１対の半円柱部分２８ａ，２８ｂから成る。各半円柱部分２８ａ，２８ｂは半円の横断面を有している。ボルト３１ａ，３１ｂは、半円柱部分２８ａ，２８ｂの通孔３２ａ，３２ｂ及び台面２９の長孔３０ａ，３０ｂに挿通されてから、下端部においてナット３３ａ，３３ｂを螺着され、半円柱部分２８ａ，２８ｂを台面２９内の所定位置に固定する。
【００１４】
ナット３３ａ，３３ｂは、長孔３０ａ，３０ｂの幅よりも大径であり、長孔３０ａ，３０ｂを通り抜けができないようになっている。半円柱部分２８ａ，２８ｂは、長孔３０ａ，３０ｂの長手方向へ位置を調整自在になっている。この位置調整により、半円柱部分２８ａ，２８ｂの半円弧側面とボイスコイル２３との距離が変化する。
【００１５】
図５は半円柱部分２８ａ，２８ｂの位置調整の説明図である。なお、図５ではボイスコイルボビン２４を除去している。図５のＤ（＜Ｇ）は半円柱部分２８ａ，２８ｂの位置の最大調整範囲を示している。図５において、半円柱部分２８ｂにおいて、実線位置は半円柱部分２８ｂがフランジ１８の中心に最も寄った位置を示し、ニ点鎖線位置は半円柱部分２８ｂがボイスコイル２３へ最も寄った位置を示している。
【００１６】
図６は台面２９に支持されているポール１９を振動板１５側から見て示す図である。図６（ａ）は半円柱部分２８ａ，２８ｂが相互に合わさって、ポール１９とヨーク１７の内周部との間の距離が最大となっている時の半円柱部分２８ａ，２８ｂの位置を示している。図６（ｂ）は半円柱部分２８ａ，２８ｂが相互に最大限離反して、ポール１９とヨーク１７の内周部との間の距離が最小となっている時の半円柱部分２８ａ，２８ｂの位置を示している。
【００１７】
台面２９の長手方向は長孔３０ａ，３０ｂの長手方向（図６の上下方向）と一致する。台面２９の長手方向両端部の輪郭線は、半円柱部分２８ａ，２８ｂの半円弧側面の輪郭線と一致する。台面２９の短手方向（図６の左右方向）両端部の輪郭線は直線となっており、該直線の長さは２Ｄである。
【００１８】
図６（ａ）及び（ｂ）では半円柱部分２８ａ，２８ｂは相互に対称位置になっているが、長孔３０ａ，３０ｂにおけるボルト３１ａ，３１ｂの位置は個々に調整自在になっており、半円柱部分２８ａ，２８ｂは非対称の位置に調整することももちろん可能である。また、長孔３０ａ，３０ｂは２個設けられているが、加工作業の簡略化のために、長孔３０ａ，３０ｂを繋げて１つの長孔にすることができる。
【００１９】
半円柱部分２８ａ，２８ｂがボイスコイル２３の方へ最大限寄った位置に調整された場合に、半円柱部分２８ａ，２８ｂがボイスコイルボビン２４に接触するのを回避するために、２通りの方法がある。第１の方法は段部３５の位置で半円柱部分２８ａ，２８ｂの位置を規制する方法であり、第２の方法は長孔３０ａ，３０ｂの端位置でボルト３１ａ，３１ｂの位置を規制する方法である。
【００２０】
第１の規制方法について説明する。半円柱部分２８ａ，２８ｂは、その下端部が段部３５に当接するまで、ボイスコイル２３の方へ移動可能になっているが、半円柱部分２８ａ，２８ｂの半円弧側面の下端部が段部３５の半円弧部に当接する位置でフランジ１８に支持されている時に、半円柱部分２８ａ，２８ｂの半円弧側面がボイスコイルボビン２４との間に所定の距離（最低限の距離）を確保できるように、段部３５の半円弧部の位置を規定する。これにより、半円柱部分２８ａ，２８ｂは、どの調整位置にあっても、ボイスコイルボビン２４との接触を回避される。
【００２１】
第２の規制方法について説明する。ボルト３１ａ，３１ｂは、長孔３０ａ，３０ｂのボイスコイル側端に当接するまで、ボイスコイル２３の方へ移動可能になっているが、ボルト３１ａ，３１ｂが長孔３０ａ，３０ｂのボイスコイル側端に当接している時の半円柱部分２８ａ，２８ｂの支持位置でフランジ１８に支持されている時に、半円柱部分２８ａ，２８ｂの半円弧側面がボイスコイルボビン２４との間に最低限の距離を確保できるように、長孔３０ａ，３０ｂのボイスコイル側端の位置を規定する。これにより、半円柱部分２８ａ，２８ｂは、どの調整位置にあっても、ボイスコイルボビン２４との接触を回避される。
【００２２】
半円柱部分２８ａ，２８ｂの位置は、スピーカ１０の取付け位置に関係する重力影響や大振幅及び小振幅（小音量）のどちらで使用するかの使用の仕方に応じてユーザが調整する。さらに、ユーザは、半円柱部分２８ａ，２８ｂの位置を（ａ）クラシックとロック又はメタルとの相違のような音楽ジャンルの相違、（ｂ）日本・欧州と南米との相違のような地域の相違、又は（ｃ）５０Ｗと１ｋＷとの相違のようなアンプ出力の相違に基づき調整する。ユーザが、半円柱部分２８ａ，２８ｂについての所望の調整位置を簡単に分かるようにするため、半円柱部分２８ａ，２８ｂの各調整位置に対応するナット３３ａ，３３ｂの位置に対してフランジ１８の後面側にマークを付けておくとよい。
【００２３】
ユーザは、半円柱部分２８ａ，２８ｂの位置を調整する際は、ヨーク１７の後面側においてナット３３ａ，３３ｂを少し緩めて、半円柱部分２８ａ，２８ｂを移動自在にし、ナット３３ａ，３３ｂが所望位置に来たら、ナット３３ａ，３３ｂを締めて、半円柱部分２８ａ，２８ｂをその位置で固定する。こうして、ユーザは、スピーカ１０について自分の使用状況に応じて半円柱部分２８ａ，２８ｂの半円弧側面とボイスコイル２３との距離を調整し、ポール１９へのボイスコイルボビン２４の接触や、小振幅時の能率低下を防止することができる。なお、大振幅で使用する場合には、ポール１９−ボイスコイルボビン２４間の距離を広げ、小振幅（小音量）で使用する場合には、ポール１９−ボイスコイルボビン２４間の距離を縮めるように、半円柱部分２８ａ，２８ｂの位置を調整する。
【００２４】
本発明のスピーカ（以下、「本スピーカ」という。）とその実施例のスピーカ１０との関係について述べる。
【００２５】
本スピーカの一例はスピーカ１０である。本スピーカは、トッププレート、ヨーク及びボイスコイルボビンを備える。
【００２６】
トッププレートは、磁石の一方の端面に接触して配置される。ヨークは、磁石の他方の端面に接触して配置されるフランジと該フランジの中心部から突出して突出端部においてトッププレートの内周側に位置するポールとを有する。ボイスコイルボビンは、トッププレートの内周とポールの周部との間の間隙に配置されて、振動板と一体に振動する。
【００２７】
ポールはその周方向へ複数のポール部分に分割される。各ポール部分は、ボイスコイルボビンとの距離を調整自在にフランジに支持されている。
【００２８】
スピーカ１０のポール１９は、半円柱部分２８ａ，２８ｂの半割り部分に分割されているが、本スピーカのポールは３以上のポール部分に分割してもよい。また、等分割でなくてもよい。半円柱部分２８ａ，２８ｂは等角度間隔で分割されているが、すなわち２等分割されているが、本スピーカのポール部分は、非等分割されていて、中心角が相互に異なっていてもよい。
【００２９】
各ポール部分は、ヨークの中心線に接近するほど、ボイスコイルボビンからは離反する。また、各ポール部分は、ヨークの中心線から遠ざかるほど、ボイスコイルボビンへ接近する。こうして、ポール部分とボイスコイルボビンとの間の距離が適切化され、取付け位置に関係する重力の影響や大振幅時の振動系ローリングに因るポールへのボイスコイルボビンの接触や、小振幅時のボイスコイルの振動能率低下等の問題を克服することができる。
【００３０】
好ましくは、本スピーカでは、フランジの中心部は周辺部に対して段部を介して落ち込んだ支持面となっており、ポール部分は、支持面内での支持位置を調整自在にフランジに支持され、段部の位置は、ポール部分が該段部に当接する支持位置でフランジに支持された場合に、該ポール部分がボイスコイルボビンから所定距離以上、離れることを保証するものに規定されている。所定距離とは、例えば、ポール部分がその位置調整によりボイスコイルボビンに最接近した位置とされても、ボイスコイルボビンがポール部分との接触を回避しつつ振動することを保証する最小距離である。
【００３１】
本スピーカにおける段部の具体例は図４の段部３５である。該段部は、ポール部分の位置調整におけるストッパとして機能することにより、ポール部分がボイスコイルボビンに近付き過ぎて、ボイスコイルボビンがポール部分に接触してしまう事態を回避することができる。
【００３２】
好ましくは、本スピーカは、ポール部分の位置調整方向へ長くフランジに形成された長孔、長孔内を貫通してポール部分と一体に長孔の長手方向へ移動するボルト、及びボルトに螺合することによりボルトを長孔内の位置で固定するナット、を備えている。そして、長孔のボイスコイル側の端の位置は、ボルトが該端に当接する位置で固定された時に該ボルトに一体固定のポール部分がボイスコイルボビンから所定距離以上の離れることを保証するものに規定されている。
【００３３】
本スピーカの長孔、ボルト及びナットは、スピーカ１０の長孔３０ａ，３０ｂ、ボルト３１ａ，３１ｂ及びナット３３ａ，３３ｂに対応する。本スピーカの長孔のボイスコイル側の端は、ボルトに対するストッパとして機能することにより、ポール部分がボイスコイルボビンに近付き過ぎて、ボイスコイルボビンがポール部分に接触してしまう事態を回避することができる。
【００３４】
好ましくは、本スピーカでは、本スピーカの各使用状況に対応付けられるポール部分の支持位置を示すマークがフランジに付けられている。
【００３５】
使用状況とは、例えば、本スピーカの取付け位置に因る重力の影響を受ける状況、主に大振幅で使用する状況、又は主に小振幅で使用する状況であり、さらに、スピーカ１０の場合の（ａ）クラシックとロツク又はメタルとの相違のような音楽ジャンル、（ｂ）日本・欧州と南米との相違のような地域、又は（ｃ）５０Ｗと１ｋＷとの相違のようなアンプ出力である。ユーザは、このマークを目安にして、自分の本スピーカの使用状況に応じたものに各ポール部分の位置を能率的に調整することができる。また、上記の（ｂ）や（ｃ）のように、製品の仕向け先（販売地域）に関する調整である場合には、製造業者がその仕向けに応じて調整するようにしても良い。このような態様とすることで、販売地域が異なる場合においても製造工程を共通化し簡略化やコストダウンを図りつつ、出荷前に仕向けに応じた調整が可能となる。
【００３６】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００３７】
【図１】スピーカの構造を断面で示す図である。
【図２】ボイスコイルが配置される範囲の概略斜視図である。
【図３】ボイスコイルが配置される範囲をヨークの側方から見た図である。
【図４】ヨークの分解図である。
【図５】半円柱部分の位置調整の説明図である。
【図６】台面に支持されているポールを振動板側から見て示す図である。
【符号の説明】
【００３８】
１０：スピーカ、１７：ヨーク、１８：フランジ、１９：ポール、２０：環状磁石、２１：トッププレート、２３：ボイスコイル、２４：ボイスコイルボビン、２８ａ，２８ｂ：半円柱部分、２９：台面（支持面）、３０ａ，３０ｂ：長孔、３１ａ，３１ｂ：ボルト、３３ａ，３３ｂ：ナット、３５：段部。
【図１】
2010041150.tif 000003
【図２】
2010041150.tif 000004
【図３】
2010041150.tif 000005
【図４】
2010041150.tif 000006
【図５】
2010041150.tif 000007
【図６】
2010041150.tif 000008